(57)【特許請求の範囲】
【請求項１】
カード挿入口兼返却口と、このカード挿入口兼返却口の下方に設けられたカード収納部と、このカード収納部に収納されたカードのデータを処理するカード処理部とを備えた非接触型ＩＣカード処理装置において、前記カード収納部の下端に設けられアクチュエータの作動によって揺動しカードの下端を押し上げカードを上昇させる駆動レバーと、この駆動レバーの揺動動作に連動して揺動しカードの上昇に制動をかける制動部材とを設け、前記駆動レバーの揺動途中において制動部材が駆動レバーと連動することを特徴とする非接触型ＩＣカード処理装置。
【発明の詳細な説明】
【０００１】
【発明の属する技術分野】
本発明は、カードをカード挿入口兼返却口から自重によってカード収納部に落下させ、カード処理を行うためにカードを一旦支承し、カード処理後に上昇手段によってカードを上昇させ、カード挿入口兼返却口からカードの上部を露呈させることによって返却する非接触型ＩＣカード処理装置に関する。
【０００２】
【従来の技術】
一般に、この種の非接触型ＩＣカード処理装置においては、データ処理中にカードがカード収納部から抜き取られないようにするために、データ処理中は、カードの上端をカード挿入口の下方に位置付け、手によってカードを摘めないようにしている。一方、データ処理が終了したらカードを手によって摘めるようにするために、カードを上昇させカードの上部をカード挿入口から露呈させるカード上昇手段が設けられている。このカード上昇手段は、データ処理が終了したら作動する電磁ソレノイドと、この電磁ソレノイドの作動によって基端部を揺動中心として先端が揺動するレバーとからなり、レバーが揺動することによってレバーの先端がカードを押し上げるように構成されている。
【０００３】
【発明が解決しようとする課題】
このような非接触型ＩＣカード処理装置においては、カードの自重によってカード収納部に落下させるために、カードの搬送経路にカードの搬送の障害となるような部材が設けられていない。このため、カード処理後、電磁ソレノイドを作動させレバーを回動させてカードを上昇させると、カードの搬送経路にカードの搬送の障害となるような部材が設けられていないので、レバーの回動端限において加速したレバーによってカードが跳ね上げられることがある。このため、カードがカード収納部内で傾いてカード詰まりを起こしたり、カード挿入口から飛び出して装置から落下することによりカードが汚れたり紛失するので、使い勝手が悪いという問題があった。
【０００４】
本発明は上記した従来の問題に鑑みなされたものであり、使い勝手の向上を図った非接触型ＩＣカード処理装置を提供することにある。
【０００５】
【課題を解決するための手段】
この目的を達成するために、請求項１記載の発明は、カード挿入口兼返却口と、このカード挿入口兼返却口の下方に設けられたカード収納部と、このカード収納部に収納されたカードのデータを処理するカード処理部とを備えた非接触型ＩＣカード処理装置において、前記カード収納部の下端に設けられアクチュエータの作動によって揺動しカードの下端を押し上げカードを上昇させる駆動レバーと、この駆動レバーの揺動動作に連動して揺動しカードの上昇に制動をかける制動部材とを設け、前記駆動レバーの揺動途中において制動部材が駆動レバーと連動する。
したがって、上昇するカードは、制動部材によって上昇速度が緩められ、アクチュエータの駆動力が小さい駆動開始初期においては制動部材が駆動レバーと連動しない。
【０００８】
【発明の実施の形態】
以下、本発明の一実施例を図に基づいて説明する。図１は本発明に係る非接触型ＩＣカード処理装置を示し、同図（ａ）は一部を破断して示す平面図、同図（ｂ）は正面図、図２は同じくカバーを開いた状態を示す本体の斜視図、図３は装置が付設される筺体の裏面側から視た分解斜視図で、カード処理部を取り付ける状態を示す。図４は図１（ｂ）におけるＩＶ−ＩＶ  線断面図、図５は同じくカード収納部を開放した状態を示す側面図、図６はデータ処理中のカードの収納状態を示した要部の正面図である。図７はカードを返却途中の状態を示した要部の正面図、図８はカードを返却する状態を示した要部の正面図、図９は電磁ソレノイドのプランジャーのストロークと吸引力との関係を示す図である。
【０００９】
図１において、全体を符号１で示す非接触型ＩＣカード処理装置には、この装置が付設される筺体２の前面板を挟んで表面側に設けられた本体３と、裏面側に設けられたカード処理部４とが備えられている。図２において、本体３は、共に合成樹脂によって形成された対向部材としての固定部材５とカバー６とによって構成され、カバー６は固定部材５の両側部の下部に突設されたダボ７を揺動中心として、固定部材５に対して開閉自在に支持されている。
【００１０】
固定部材５は、一面が開口した箱状に形成され、正面板の表面の上部には一対の対向するガイド板１０，１０が立設され、左側のガイド板１０の中央には窓１０ａが設けられ、これらガイド板１０，１０に挟まれた部位がカード収納面１１を形成している。このカード収納面１１の下部側には、断面が略円弧状の凹部１２が形成され、この凹部１２の一端側の下方には、矩形状の窓１３が穿設され、カード収納面１１の上端には、凸条体１４が左右方向に延在するように突設されている。また、固定部材５の両側部の上下には、二対の固定片１５が裏面側に立設され、これら固定片１５には嵌合孔１６が穿設されている。
【００１１】
カバー６は断面コ字状に形成され、両側部の上部には、一対の対向する係合片１８，１８が立設され、これら係合片１８，１８には、係合凹部１９，１９が設けられている。このカバー６は上下端が共に開口し、上方の開口２０は正面視略円弧状に形成され、カード挿入口兼返却口を形成し、図４に示す下方の開口２１が水抜き口を形成している。また、カバー６の裏面側には、カード挿入口兼返却口２０から下方に延在する三条のガイドリブ２２が立設され、これらガイドリブ２２は上述した固定部材５のカード収納面１１に対応するように位置付けられ、上部２２ａが傾斜するようにして形成されている。図４に示すように、このカバー６を固定部材５に対して閉じた状態とすると、カード収納面１１とガイドリブ２２が間隔ｌだけ隔てて対向し、一対のガイド板１０，１０とともに、カード収納部２３を形成するように構成されている。このカード収納部２３の間隔ｌは、カードＰの略３枚宛の厚さに形成されている。
【００１２】
図３において、筺体２は金属によって形成され、矩形状の開口２５が穿設され、この開口２５の両側端の下部には、一対の対向する支承片２６，２６が裏面側に折曲形成され、これら支持片２６，２６には、上方が開口した支持溝２７，２７が設けられている。この開口２５の両側端の上下には、二対の固定片２８，２８が裏面側に折曲形成され、これら固定片２８には嵌合孔２９が穿設されている。この開口２５の上端の中央には、側面視逆Ｌ字状の固定片３０が裏面側に折曲形成され、この固定片３０の垂直部３０ａにはねじ孔３１が設けられている。
【００１３】
３２はホルダであって、合成樹脂によって一面が開口した箱状に形成され、正面板の裏面にはカード処理部４が固定され、両側面板の下部側の外面には、一対のダボ３３，３３が突設されている。ホルダ３２の両側面板の上部側には、正面板から立設された一対の対向する弾性係合片３４，３４が設けられ、これら弾性係合片３４，３４の外面には、係合突起３５，３５がそれぞれ突設されている。ホルダ３２の上面板の中央には、側面視Ｌ字状の固定片３６が裏面側に突設され、この固定片３６には挿通孔３７が穿設されている。
【００１４】
このホルダ３２のダボ３３が筺体２の支持片２６の支持溝２７に支持され、固定片３６の挿通孔３７に挿通されたねじ３８が、筺体２の固定片３０のねじ孔３１に螺合されることにより、このホルダ３２は、カード処理部４が開口２５に対応するようにして筺体２の裏面側に固定される。上述した本体２の固定部材５の固定片１５は、筺体２の開口２５の両側端から裏面側に係入され、筺体２の固定片２８に対接され、これら両固定片１５，２８の嵌合孔１６，２９に合成樹脂製のリベット３９が嵌合されることにより、固定部材５は筺体２の表面側に固定される。
【００１５】
ダボ７を回転中心としてカバー６を図５中時計方向に回動させ、カバー６の係合片１８を筺体２の開口２５の両側端から裏面側に係入させ、ホルダ３２の弾性係合片３４を弾性変形させながら係合突起３５に係合させることにより、カバー６が筺体２の表面側に固定される。このとき、図４に示すように、カバー６によって固定部材５のカード収納面１１が覆われ、上述したように、固定部材５のガイド板１０，１０と共にカード収納部２３が形成される。
【００１６】
次に、図４および図６に基づいてカード上昇手段４０について説明する。
図４に示すように、カード上昇手段４０は、固定部材５の底面板に固定されたブラケット４１を介して、固定部材５の裏面側の下部に取り付けられている。図６に示すように、カード上昇手段４０は、駆動手段としての電磁ソレノイド４２と、この電磁ソレノイド４２によって直接揺動させられる第１のレバー４３と、この第１のレバー４３によって揺動させられる第２のレバー４４とによって概ね構成されている。
【００１７】
電磁ソレノイド４２は、ブラケット４１の底面部に固定され、進退自在なプランジャー４５が備えられている。第１のレバー４３は、ブラケット４１の側面部に植設された軸４６を揺動中心として揺動自在に支持され、基端部に第１のレバー４３と直交する方向に係合部４７が突設され、この係合部４７がプランジャー４５に係合している。第１のレバー４３の先端部および中央部の上側には、係合突起４８，４９がそれぞれ設けられている。
【００１８】
第２のレバー４４は、第１のレバー４３と相対向するように、軸４６と電磁ソレノイド４２のプランジャー４５の進退方向の反対側において、ブラケット４１の側面部に植設された軸５０を揺動中心として揺動自在に支持され、第１のレバー４３の係合突起４８，４９に載置されている。この第２のレバー４４の先端には、支承部５１が設けられ、基端部には被検出部４４ａが一体に突設され、さらに基端部は折曲形成され係合部４４ｂが形成されている。
【００１９】
第２のレバー４４の支承部５１は、図２に示すように、上述した固定部材５の窓１３から固定部材５の表面側に突出するようにして位置付けられている。また、後述するように電磁ソレノイド４２が作動し、この支承部５１が上昇すると、この支承部５１は、カード収納部２３の凹部１２の直下に位置付けられる。さらに、電磁ソレノイド４２が作動せずに、支承部５１が下降した状態においては、図１（ｂ）に示すように、この支承部５１とカード挿入口兼返却口２０までの間隔Ｈが、カードＰの全長ｈよりもやや大きく形成されるように位置付けられている。
【００２０】
次に、図６および図７を用いて本発明の特徴であるカードの上昇に制動をかける制動手段を説明する。
５２はレバーであって、固定部材５に植設された軸５３を介して揺動自在に支持され、下端部に一体に形成された被係合部５２ａの下端が、上述した第２のレバー４４の係合部４４ｂと隙間δだけ離間して位置付けられている。５４は制動部材であって、板状のばね材によって形成され、基端部がレバー５２の揺動端部に取り付けられ、先端部が折り返され側面視略逆くの字状の押圧部５４ａが形成されている。この押圧部５４ａはガイド板１０の窓１０ａに臨むように位置付けられ、図６に示すように電磁ソレノイド４２のプランジャー４５が前進した状態においては、第２のレバー４４の係合部４４ｂとレバー５２の被係合部５２ａとの間に隙間δが形成され、押圧部５４ａはカード収納部２３内に進出する方向に付勢されていない。
【００２１】
図７に示すように電磁ソレノイド４２のプランジャー４５が後退し始めると、第１のレバー４３が軸４６を回動中心として図中時計方向に回動するので、第２のレバー４４が係合部４８を介して軸５０を回動中心として図中反時計方向に回動する。この回動によって、第２のレバー４４の係合部４４ｂがレバー５２の被係合部５２ａに係合し、レバー５２が軸５３を回動中心として時計方向に回動するので、制動部材５４の押圧部５４ａが窓１０ａからカード収納部２３内に進出する。
【００２２】
図１（ｂ）において、カード収納部２３の上部側の一方の側部には、センサ５５が設けられ、このセンサ５５はカード収納部２３からカードＰが抜き取られたことを検出するセンサである。カード収納部２３の下端部の一方の側部には、センサ５６が設けられ、このセンサ５６はカード収納部２３にカードＰが収納されたことを検出するセンサである。カード上昇手段４０の軸５０の近傍には、センサ５７が設けられ、このセンサ５７は第２のレバー４４の被検出部４４ａを検出するものであって、第２のレバー４４の支承部５１が上昇しカードＰを返却可能な状態としたことを検出する。
【００２３】
次に、このような構成の非接触型ＩＣカード処理装置のカードの処理動作を説明する。
図１（ｂ）において、カード挿入口兼返却口２０からカードＰを挿入すると、挿入されたカードＰは、一対のガイド板１０，１０に案内され自重により落下し、図中実線で示す第２のレバー４４の支承部５１によって下端が支承され、落下が停止するとともに、カード収納部２３に収納される。このとき、制動部材５４の押圧部５４ａはカード収納部２３内に進出する方向に付勢されていないので、カード収納部２３内には、カードＰの落下の障害となるような部材が設けられてない。このため、利用者はカードＰをカード収納部２３に収納するのに、カードＰを押し込む必要がないので、操作性が損なわれるようなことはない。収納されたカードＰは、センサ５６によって検出されるので、カード処理部４によってデータの処理が行われる。この状態において、カードＰの上端は、カード収納口兼返却口２０から露呈していないので、データ処理中にカードＰが抜き取られるようなことはなく、このため、強制終了によって次にカードＰの使用ができなくなるようなことはない。
【００２４】
データの処理が終了すると、電磁ソレノイド４２が作動し、図７に示すように、プランジャー４５が後退すると、係合部４７を介して第１のレバー４３が軸４６を回動中心として図中反時計方向に回動する。したがって、係合突起４８を介して第２のレバー４４が軸５０を回動中心として図中時計方向に回動するので、支承部５１が上昇し、カードＰを上昇させるので、カードＰの上端部がカード挿入口兼返却口２０から露呈する。第２のレバー４４がある程度回動すると、係合部４４ｂがレバー５２の被係合部５２ａに係合するので、レバー５２が軸５３を回動中心として図中時計方向に回動する。したがって、制動部材５４の押圧部５４ａがガイド板１０の窓１０ａからカード収納部２３内に進出し、カードＰの側部を押圧するので、支承部５１によって上昇させられるカードＰは減速させられた状態で上昇し停止する。したがって、上昇したカードＰがカード収納部２３内で傾いたり、カード挿入口兼カード返却口２０から飛び出して、処理装置１から落下してしまうようなことがない。
【００２５】
図８に示すように、上昇手段４０によって上昇させられ、カード挿入口兼返却口２０から上部が露呈したカードＰは、利用者によって抜き取られる。同図において、電磁ソレノイド４２が作動し、第２のレバー４４が図中時計方向に回動したことは、被検出部４４ａがセンサ５７から外れることにより検出される。また、カードＰがカード挿入口兼返却口２０から抜き取られると、センサ５５によって検出されるので、カード収納部２３にカードＰがないことが確認されるので、電磁ソレノイド４２が非作動状態になる。
【００２６】
したがって、プランジャー４５が前進し、第１のレバー４３が軸４６を回動中心として図中時計方向に回動するので、図６に示すように、第２のレバー４４が軸５０を回動中心として図中反時計方向に回動し初期状態に戻る。同時に、レバー５２の被係合部５２ａと第２のレバー４４の係合部４４ｂとの係合が解除されるので、レバー５２に付与されていた軸５３を回動中心としての時計方向への回動付勢が解除され、制動部材５４の押圧部５４ａのカード収納部２３内への進出付勢も解除される。
【００２７】
このように、カードＰの上昇時に制動をかけるのに、カード上昇手段４０の第２のレバー４４に係合して回動するレバー５２とこのレバー５２に取り付けられた制動部材５４とによって行うようにしたので、部品点数も最小限でよく構造が簡単となる。また、制動部材５４の押圧部５４ａによってカードＰの側部を押圧するようにしたことにより、カードの大きさが多少変わっても対応することが可能となる。
【００２８】
また、カードＰを押し上げる前の初期状態においては、図６に示すように、第２のレバー４４の係合部４４ｂとレバー５２の被係合部５２ａとの間に隙間δを設け、図７に示すように、第２のレバー４４の揺動途中において、係合部４４ｂと被係合部５２ａとが係合するようにしている。これは、図９に示すように、電磁ソレノイド４２のプランジャー４５が前進したＡ点においては吸引力が弱く、一方プランジャー４５が後退するにしたがい吸引力が大きくなるという電磁ソレノイドの特性によって電磁ソレノイド４２の不動作状態を防止したものである。すなわち、電磁ソレノイド４２の吸引力がある程度大きくなったＢ点において、係合部４４ｂを被係合部５２ａに係合させ、吸引力が弱いＡ点においては、係合部４４ｂに被係合部５２ａを係合させないことにより、電磁ソレノイド４２がレバー５２の負荷によって不動作状態になるのを防止できる。
【００２９】
本実施の形態では、制動ばね５４がカードＰの側部を押圧するようにしたが、カードＰの厚み方向を押圧するようにしてもよい。また、カードＰを押し上げる支承部５１によって、カード収納部２３内を落下してくるカードＰを支承させるようにしたが、支承させる部材を支承部５１と別に設けてもよい。制動ばね５４をカード収納部２３内に進出させるのに、レバー５２を介して行ったが、カム機構やリンク機構を介して行ってもよい。また、制動レバー５２を第２のレバー４４に係合させるようにしたが、第１のレバー４３に係合させるようにしてもよく、また、第１のレバー４３の揺動によってカードＰを返却できるのであれば、必ずしも第２のレバー４４を介する必要はない。また、レバー５２の揺動端部に弾性変形可能な制動部材５４を取り付けたが、レバー５２を硬質ゴム等の弾性変形可能な材料によって形成するならば、必ずしも制動部材５４は必要がない。
【００３０】
【発明の効果】
以上説明したように、請求項１記載の発明によれば、カード収納部内で傾いてカード詰まりを起こしたり、カード挿入口兼返却口から飛び出して装置から落下してしまいカードが汚れたり紛失するようなことがなく、使い勝手が向上する。また、アクチュエータの駆動力が小さい駆動開始初期においては制動部材が駆動レバーと連動しないので、アクチュエータに余計な負荷がかかって作動が停止するようなことがない。
【図面の簡単な説明】
【図１】本発明に係る非接触型ＩＣカード処理装置を示し、同図（ａ）は一部を破断して示す平面図、同図（ｂ）は正面図である。
【図２】本発明に係る非接触型ＩＣカード処理装置におけるカバーを開いた状態を示す本体の斜視図である。
【図３】本発明に係る非接触型ＩＣカード処理装置において、装置が付設される筺体の裏面側から視た分解斜視図で、カード処理部を取り付ける状態を示す。
【図４】図１（ｂ）におけるＩＶ−ＩＶ  線断面図である。
【図５】本発明に係る非接触型ＩＣカード処理装置において、カバーを開いた状態を示す側面図である。
【図６】本発明に係る非接触型ＩＣカード処理装置において、データ処理中のカードの収納状態を示した要部の正面図である。
【図７】本発明に係る非接触型ＩＣカード処理装置において、カードを返却途中の状態を示した要部の正面図である。
【図８】本発明に係る非接触型ＩＣカード処理装置において、カードを返却する状態を示した要部の正面図である。
【図９】本発明に係る非接触型ＩＣカード処理装置において、電磁ソレノイドのプランジャーのストロークと吸引力との関係を示す図である。
【符号の説明】
１…非接触型ＩＣカード処理装置、４…カード処理部、１０ａ…窓、２０…カード収納口兼返却口、２３…カード収納部、４０…カード上昇手段、４２…電磁ソレノイド、４３…第１のレバー、４４…第２のレバー、４４ｂ…係合部、４８…係合突起、５１…支承部、５２…レバー、５２ａ…被係合部、５４…制動部材、５４ａ…押圧部、Ｐ…非接触型ＩＣカード。
【図１】
0003589133.tif 000002
【図２】
0003589133.tif 000003
【図３】
0003589133.tif 000004
【図４】
0003589133.tif 000005
【図５】
0003589133.tif 000006
【図６】
0003589133.tif 000007
【図７】
0003589133.tif 000008
【図８】
0003589133.tif 000009
【図９】
0003589133.tif 000010